(57)【要約】【課題】  例えば「粗品」等の収納袋において、紙製で平封筒状のものでは、底部の両角部が膨らまないので、収納物品に嵩（厚さ）があるものでは該物品の下端部を袋の内底部付近まで差し込むことができず、袋内底部にかなりの余剰空間ができる。【解決手段】  紙製で平封筒状の袋本体１の底部４の両角部５，５に、それぞれ袋本体１の側辺部１ａと底辺部１ｂに所定小幅ずつ跨がった鉤形の切欠部６，６を形成することで、両角部を含めて袋底部全体を容易に膨らませることができるようにし、もって物品を袋の内底部に近接する位置まで差込むことができるようにしている。【選択図】      図２
2006111293.tif 000002
【特許請求の範囲】
【請求項１】
折畳みタオルのような嵩のある物品（９）を収納するための縦長矩形の収納袋であって、紙製で平封筒状の袋本体（１）の底部（４）の両角部（５，５）に、それぞれ袋本体（１）の側辺部（１ａ）と底辺部（１ｂ）に所定小幅（Ｈ，Ｗ1）ずつ跨がった鉤形の切欠部（６，６）を形成していることを特徴とする収納袋。
【請求項２】
請求項１において、袋本体（１）の開口部（２）を閉塞する蓋片（３）を有し、該蓋片（３）の付根部（３ａ）の左右各側縁（３ｂ，３ｂ）を袋本体（１）の左右各側縁部（１ａ，１ａ）よりそれぞれ所定小幅（Ｗ1，Ｗ1）だけ内側に寄せていることを特徴とする収納袋。
【発明の詳細な説明】
【技術分野】
【０００１】
本願発明は、折畳みタオルのような嵩のある物品を収納するための収納袋に関するものである。
【背景技術】
【０００２】
イベントの「参加賞」や、日頃のご愛顧の感謝品としての「粗品」等としてタオルが使用されることがあるが、タオルを「粗品」等として贈答する場合には、例えば図６に示す第１従来例、又は図７〜図１０に示す第２従来例のように、該タオル９を適当な大きさに折畳んだ状態で収納袋５０（又は６０）内に収容して提供される。尚、「粗品」等として収納袋内に収納する際には、タオル９を長さ方向及び幅方向に複数回ずつ折畳む（合計１２〜１６折り程度まで折畳む）が、このときの折畳みタオル９の厚さは、フェイスタオルにおいて２５〜３５mm程度になる。
【０００３】
図６に示す第１従来例の収納袋５０は、透明のプラスチックフイルム製であり、タオルを長さ方向及び幅方向に複数回折畳み、その折畳みタオル９の外側を熨斗紙５２で包んだ状態でプラスチックフイルム袋５０内に収納している。尚、図６では、袋５０が透明であるので、熨斗紙５２及び折畳みタオル９が袋外部から透けて見えている。
【０００４】
図６で使用している収納袋（プラスチックフイルム袋）５０は、柔軟性があるので、折畳みタオル９を収納する際に袋底部５１も比較的容易に膨らませることができ、収納状態でフイルム袋が収納物の外面にフィットし易い。又、このプラスチックフイルム袋５０は、安価であり、且つ柔軟性がある割りには破袋強度に優れているので、この種の収納物（折畳みタオル９）を収納する収納袋として多用されている。尚、この種のプラスチックフイルム袋の参考例としては、例えば特開２０００−２１９２４５号公報（特許文献１）に示されるものがある。
【０００５】
図７〜図１０に示す第２従来例の収納袋は、平封筒状の紙製袋６０である。尚、図７は紙製袋６０の表面側平面図、図８はその背面側平面図、図９は紙製袋６０内に折畳みタオル９を収納した状態の背面側平面図、図１０は図９の縦断面図である。
【０００６】
図７〜図１０に示すように、収納袋として紙製袋６０を使用した場合には、破袋強度の点でかなりの厚さの紙材を使用するとともに、袋底部６０ａに底蓋材６１を折返して貼着している（図８、図９参照）。又、袋の開口部６３には、蓋片６４を連続させているが、この蓋片６４の左右側縁下端６４ａ，６４ａは袋の開口幅の左右各外端と同位置に連続している。
【０００７】
又、物品収納袋として、図１１（第３従来例）に示すように、紙製袋７０の両側辺部及び底辺部にそれぞれマチ部７１，７１及び７２を設けたものがある。尚、この種のマチ付き紙製袋７０の参考例としては、例えば特開２０００−２３８７９２号公報（特許文献２）に示されるものがある。
【０００８】
ところで、物品を「粗品」等として贈答する場合には、その贈答品に、図６又は図７に示すように、熨斗飾り１６や水引１７等の飾り表示、「粗品」等の表題文字１８、会社名等の出所表示１９等が印刷されている。尚、表題表示１８の種類（粗品、参加賞、感謝、内祝等の文字）、及び出所表示（会社名等）１９は、使用内容又は依頼先によってその都度、収納袋の表面に印刷される。
【０００９】
【特許文献１】特開２０００−２１９２４５号公報
【特許文献２】特開２０００−２３８７９２号公報
【発明の開示】
【発明が解決しようとする課題】
【００１０】
上記した図６（第１従来例）のプラスチックフイルム袋５０では、柔軟性に優れているので、袋内に物品（折畳みタオル９）を収納した際に、物品（折畳みタオル）９の厚さが厚くても（例えば２５〜３５mm厚さ）、該物品９の下端部９ａが袋底部を比較的容易に押し広げることができ、従って該物品下端部９ａがプラスチックフイルム袋５０の底辺部５１にかなり近い深さまで収納される。
【００１１】
ところが、プラスチックフイルム袋５０では、廃棄時に焼却できないので埋め立てゴミとして分別廃棄しなければならず、その廃棄に手間がかかるとともに、環境によくないという問題がある。又、プラスチックフイルム袋５０では、袋状態で袋表面に直接印刷（飾り表示１６，１７、表題表示１８、出所表示１９等の印刷）を行うことが困難であるため、印刷を施した熨斗紙５２を折畳みタオル９とともにプラスチックフイルム袋５０内に収納しているが、この場合、熨斗紙５２が別途必要であるとともに、該熨斗紙５２で折畳みタオル９を包む工程が必要であるという問題もあった。
【００１２】
又、上記した図７〜図１０（第２従来例）の紙製袋６０では、紙であるので廃棄時に焼却できるとともに、袋の状態で容易に印刷（例えば依頼された表題表示１８、出所表示１９等の印刷）を行えるという利点がある。
【００１３】
ところが、この第２従来例の紙製袋６０では、破袋強度の点でかなりの厚さの紙材を使用しているとともに袋底部に底蓋材６１を折返して貼着しているので、紙製袋６０の底部６０ａ（特にその両角部６２，６２）において膨らみにくくなっている。そして、収納物品が折畳みタオル９のように嵩（厚さ）があるものでは、この紙製袋６０内に物品（折畳みタオル）９を収納したときに、袋胴部は比較的容易に膨らませることができるものの、底部６０ａの両角部６２，６２（図９）を膨らせることができないので、図９及び図１０に示すように収納物品９の下端部９ａが袋底部６０ａからかなり離れた位置（浅い位置）までしか差し込めない。即ち、図９及び図１０に符号Ｌで示すように、物品下端部９ａから袋の内底部６０ａまでの残余深さが２５〜３０mm程度になって余剰空間Ｓ（図１０）が大きくなるとともに、その余剰空間Ｓ部分がブカブカするという問題があった。
【００１４】
又、嵩のある折畳みタオル９を紙製袋６０内に収納した際に、開口部６３が長円形（又は楕円形）に押し広げられるが、蓋片６４の左右側縁下端６４ａ，６４ａが袋の開口幅の左右各外端と同位置に連続していると、該蓋片６４の左右側縁もそれぞれ湾曲するようになる。そのとき、蓋片６４の左右側縁下端６４ａ，６４ａに不自然な作用が働いて該各側縁下端６４ａ，６４ａが破れ易くなるとともに、蓋片６４の左右側縁が湾曲していると、該蓋片６４を折り返して蓋をするときに該蓋片６４が折り曲げにくくなるという問題もある。
【００１５】
又、上記した図１１（第３従来例）のマチ付き紙製袋７０では、物品（折畳みタオル）９の収納時に、各マチ部分７１，７１，７２が容易に押し広げられるので、物品の下端部まで充分に差し込め、且つ紙製であるので、袋の状態で印刷できるとともに廃棄時に焼却できる（分別廃棄しないでよい）。
【００１６】
ところが、この種のマチ付き紙製袋７０は、製作コストが平封筒状の紙製袋（図７〜図８のもの）に比して極めて高くなり、この種の「粗品」等に使用する収納袋には不向きである。
【００１７】
そこで、本願発明は、上記の各収納袋の問題点に鑑み、紙製の平封筒状の収納袋であっても、収納物品（折畳みタオル）の下端部を容易に袋の内底部付近まで差し込んだ状態で収納し得るようにすることを目的としている。
【課題を解決するための手段】
【００１８】
本願発明は、上記課題を解決するための手段として次の構成を有している。
【００１９】
本願請求項１の発明
本願請求項１の発明は、折畳みタオルのような嵩のある物品を収納するための縦長矩形の収納袋を対象にしている。収納物品としてタオルを採用する場合は、該タオルを長さ方向及び幅方向に複数回ずつ折畳み（合計１２〜１６折り程度まで折畳む）、このときの折畳みタオルの大きさは、フェイスタオルにおいて縦長さが２３〜２４cm、横幅が１１〜１２cm、厚さが２５〜３５mm程度になる。尚、本願の収納袋は、収納物品として、上記折畳みタオルのほかに、矩形で適度の厚さがあるものであれば適宜の物品を採用できる。
【００２０】
この請求項１の収納袋は、紙製で平封筒状の袋本体の底部の両角部に、それぞれ袋本体の側辺部と底辺部に所定小幅ずつ跨がった鉤形の切欠部を形成していることを特徴としている。
【００２１】
この収納袋の袋本体部分は、平封筒状で、上記折畳みタオルをほぼ過不足なく収納し得る大きさ（例えば縦長さが２４〜２５cm、横幅が１４〜１５cm程度）に形成されている。又、この収納袋は、紙製であるので、破袋強度を確保し得る厚さの紙材が使用されている。袋本体の上部には、開口部を閉塞する蓋片が一体に連続しているとともに、底部は底蓋材を折返して貼着している。
【００２２】
袋本体底部の各角部の切欠部は、幅方向及び高さ方向にそれぞれ６〜１０mm程度（好ましくは８mm程度）の範囲で鉤形に切欠いている。このように袋底部の両角部にそれぞれ鉤形の切欠部を形成しておくと、袋本体の両側縁部及び底縁部がそれぞれマチ部として機能するようになる。
【００２３】
そして、このように袋底部の各角部にそれぞれ鉤形の切欠部を形成していると、この収納袋内に物品（折畳みタオル）を収納させた際に、袋本体の底部の各角部においてもほとんど抵抗なく膨らませることができる。尚、底部に切欠部のない通常の角部では、膨らませる余裕がないが、本願のように角部に切欠部を形成しておくと、容易に膨らませることができる。
【００２４】
本願請求項２の発明
本願請求項２の発明は、上記請求項１の収納袋において、袋本体の開口部を閉塞する蓋片を有し、該蓋片の付根部の左右各側縁を袋本体の左右各側縁部よりそれぞれ所定小幅だけ内側に寄せていることを特徴としている。
【００２５】
即ち、蓋片の付根部の左右側縁をそれぞれ所定小幅（例えば６〜１０mm、好ましくは８mm程度）ずつ切欠いて、蓋片付根部の幅を袋本体の開口幅よりやや小さくしている。
【００２６】
このように、蓋片付根部の幅を小さくすると、袋内に物品（折畳みタオル）を収納した際に開口部が長円形（又は楕円形）に膨らんでも、蓋片の付根部の幅が短いので、曲がり代がなく、蓋片の全体が平面状態を維持するようになる。
【００２７】
尚、本願請求項１及び２の各収納袋は、日本タオルのような、折畳んだ状態で厚さが比較的薄いものも収納できる。その場合は、袋本体部分はさほど膨らまない。
【発明の効果】
【００２８】
本願請求項１の発明の効果
この請求項１の収納袋では、袋底部の各角部にそれぞれ鉤形の切欠部を形成しているので、袋本体の両側縁部及び底縁部がそれぞれマチ部として機能するようになる。従って、袋本体を紙製で平封筒状に形成したものであっても、収納袋内に物品（折畳みタオル）を収納させた際に、袋本体の底部の各角部付近もそれぞれ容易に膨らませることができ、収納物品（折畳みタオル）の下端部を袋内の底部付近まで容易に差込むことができるという効果がある。尚、このように、収納物品の下端部を袋内の底部付近まで差込むと、袋の内底部の余剰空間が小さくなって収納状態が良好になる。
【００２９】
本願請求項２の発明の効果
本願請求項２の発明では、上記請求項１の収納袋において、蓋片付根部の左右側縁を袋本体の左右各側縁部よりそれぞれ所定小幅だけ内側に寄せているので、袋内に物品（折畳みタオル）を収納した際に開口部が長円形（又は楕円形）に膨らんでも、蓋片の左右側辺部が湾曲せずに平面状態を維持するようになる。
【００３０】
従って、この請求項２の収納袋では、上記請求項１の効果に加えて、物品収納時に蓋片付根部の左右側辺部が破れにくくなるとともに、蓋片を折り返して蓋するときに支障なく折り曲げることができるという効果がある。
【００３１】
尚、本願の上記請求項１及び２の各収納袋では、紙製であるので、印刷が容易であるとともに、廃棄時に焼却できるのでプラスチックフイルム製のように分別廃棄が不要になり、さらに平封筒形状であるので、製造コストが安価である。
【実施例】
【００３２】
以下、図１〜図５を参照して本願実施例の収納袋を説明する。尚、この実施例では、収納物品として、フェイスタオルを折畳んだ折畳みタオル９を採用しているが、この折畳みタオル９は、折畳み状態（合計１２〜１６折り状態）で縦長さが２３〜２４cm、横幅が１１〜１２cm、厚さが２５〜３５mm程度の大きさになる。
【００３３】
この実施例の収納袋は、図１及び図２に示すように、紙製で縦長矩形の平封筒状に形成されている。尚、この収納袋は紙製であるので、破袋強度の点で適度の厚さの紙材が使用されている。
【００３４】
袋本体１部分の大きさは、上記折畳みタオル９をほぼ過不足なく収納し得る大きさで、例えば縦長さが２４〜２５cm、横幅が１４〜１５cm程度に形成されている。
【００３５】
この実施例の収納袋は、折畳みタオル９を「粗品」用として収納するのに使用されており、図１に示すように、収納袋の表面に熨斗飾り１６や水引１７等の飾り表示、「粗品」等の表題文字１８、会社名等の出所表示１９等が印刷されている。尚、熨斗飾り１６や水引１７（この実施例では１本の帯状赤線）等の飾り表示は、共通表示として予め収納袋の表面に印刷されているが、表題表示１８の種類（粗品、参加賞、感謝、内祝等の文字）、出所表示（会社名等）１９は、使用内容又は依頼先によってその都度、収納袋の表面に印刷される。
【００３６】
袋本体１の底部４の両角部５，５には、袋本体１の側辺部１ａと底辺部１ｂに所定小幅（Ｈ，Ｗ1）ずつ跨がってそれぞれ鉤形の切欠部６，６が形成されている。この各切欠部６，６の大きさは、縦長さＨ及び横幅Ｗ1がそれぞれ８mm程度である。
【００３７】
又、袋本体１の開口部２を閉塞する蓋片３は、その付根部３ａの左右各側縁３ｂ，３ｂを袋本体１の左右各側縁部１ａ，１ａよりそれぞれ所定小幅Ｗ1だけ内側に寄せた状態で形成している。即ち、蓋片３の付根部３ａの左右側縁３ｂ，３ｂをそれぞれ所定小幅Ｗ1（底部の切欠部６と同様に８mm程度）ずつ切欠いて（切欠部７，７）、蓋片付根部３ａの幅を袋本体１の開口幅よりやや小さくしている。
【００３８】
この収納袋は、図３の展開図に示すように、表面部１１と背面部１２（表面部１１の左右に半割り状態で連続しいる）と上蓋部１３と底蓋部１４を有し、底部４の左右各端部にそれぞれ切欠部６，６を形成し、上蓋部１３の付根部３ａの左右側縁３ｂ，３ｂにそれぞれ切欠部７，７を形成した状態で一体裁断される。そして、図３の各点線部分で折り返して、各背面部１２，１２の側縁同士を貼着するとともに、底蓋部１４を背面部１２の下端部に貼着させて平封筒状に形成している。尚、表面部１１及び各背面部１２，１２の外面となる面には、予め熨斗飾り１６や水引１７等を印刷しておく。
【００３９】
この実施例の収納袋は、次のような特性がある。先ず、袋本体１の底部４は、図２に示すように底蓋材１４が折返して貼着されていて比較的剛性が強くなっているが、該底部４の両角部５，５にはそれぞれ鉤形の切欠部６，６が形成されているので、袋本体１の両側縁部１ａ，１ａ及び底縁部１ｂがそれぞれマチ部として機能する。即ち、袋本体１の両側縁部１ａ，１ａがそれぞれ幅Ｗ1ずつ外折れのマチ部となるとともに、袋本体１の底縁部１ｂも高さＨだけ外折れのマチ部となる。尚、折畳みタオル９の収納前は、袋本体１部分が薄い状態（平封筒の状態）で横幅Ｗが広幅のままである（Ｗ＝１４〜１５cm）。
【００４０】
そして、図４及び図５に示すように折畳みタオル９を開口部２から袋本体１内に収納させると、袋本体１の胴部の表裏各面が外側に押し広げられ、そのとき左右の各側辺部（マチ部となる）１ａ，１ａが全長に亘って膨らんで袋本体１の横幅Ｗ0が小さく（Ｗ0は、元の横幅Ｗより１０〜１５mm程度小さい）。又、底部４は、折畳みタオル９の下端部９ａを深くまで押し込むことで、さほど抵抗なく底辺部（マチ部となる）１ｂを膨らませることができ、図５に示すように折畳みタオル９の下端部９ａを袋の内底部に近接する位置まで差込むことができる。このことは、底部４の両角部５，５にそれぞれ切欠部６，６を形成していることにより達成し得るものである。尚、物品収納状態においては、底部両角部の切欠部６，６が図４に示すように小さくなり、該各切欠部６，６から内部の収納物９が見えにくくなる。
【００４１】
又、折畳みタオル９の収納状態では、袋本体１の開口部２も長円形（又は楕円形）に膨れるが、そのとき、蓋片３の付根部３ａの左右側縁３ｂ、３ｂが予め内側に寄っている（切欠部７，７を形成している）ので、該蓋片３の両側縁３ｂ，３ｂ部分に湾曲する余地がない。従って、折畳みタオル９を収納した状態でも、蓋片３の全体が平面状態を維持するようになる。
【００４２】
このように、この実施例の収納袋では、紙製で平封筒状のものであっても、物品（折畳みタオル）９を、その下端部が袋の内底部に近接する位置まで容易に差込むことができるので、袋の内底部の余剰空間が小さくなって収納状態が良好になる。又、物品収納状態で、蓋片３の全体が平面状態を維持しているので、蓋片付根部３ａの左右側辺部３ｂ，３ｂが破れにくくなるとともに、蓋片３を折り返して蓋するときに支障なく折り曲げることができる。
【００４３】
尚、この実施例の収納袋は、紙製であるので、印刷が容易であるとともに、廃棄時に焼却でき、さらに平封筒形状であるので製造コストが安価である。
【図面の簡単な説明】
【００４４】
【図１】本願実施例の収納袋の表面側平面図である。
【図２】図１の収納袋の裏面側平面図である。
【図３】図１及び図２の収納袋の展開図である。
【図４】図２の収納袋内に物品（折畳みタオル）を収納した状態図である。
【図５】図４のＶ−Ｖ断面図である。
【図６】第１従来例の物品入り収納袋の平面図である。
【図７】第２従来例の収納袋の表面側平面図である。
【図８】図７の収納袋の裏面側平面図である。
【図９】図８の収納袋内に物品（折畳みタオル）を収納した状態図である。
【図１０】図８のＸ−Ｘ断面図である。
【図１１】第３従来例の収納袋の斜視図である。
【符号の説明】
【００４５】
１は袋本体、１ａは側辺部、１ｂは底辺部、２は開口部、３は蓋片、３ａは付根部、３ｂは側縁、４は底部、５は角部、６は切欠部、７は切欠部、９は収納物品（折畳みタオル）である。
【図１】
2006111293.tif 000003
【図２】
2006111293.tif 000004
【図３】
2006111293.tif 000005
【図４】
2006111293.tif 000006
【図５】
2006111293.tif 000007
【図６】
2006111293.tif 000008
【図７】
2006111293.tif 000009
【図８】
2006111293.tif 000010
【図９】
2006111293.tif 000011
【図１０】
2006111293.tif 000012
【図１１】
2006111293.tif 000013